(57)【要約】【課題】発光素子の発光時間を長くすることが可能となる画素回路の制御方法を提供する。【解決手段】発光素子に供給される電流量をゲート電極に接続された第１の容量が保持する電圧に応じて制御する第１トランジスタと、前記ゲート電極及び前記第１の容量と第２の容量との接続を制御する第２トランジスタと、前記第２容量とデータ線との接続を制御する第３トランジスタとを用いる画素回路の制御方法であり、前記第２トランジスタをオフにした後、前記発光素子に前記第１の容量が保持する電圧に応じた電流量を供給する間に、前記第３トランジスタをオンにし、前記第３トランジスタをオフにした後、前記第２トランジスタをオンにすることを特徴とする画素回路の制御方法を提供する。【選択図】図２
2014219440.tif 000002
【特許請求の範囲】
【請求項１】
発光素子に供給される電流量をゲート電極に接続された第１の容量が保持する電圧に応じて制御する第１トランジスタと、前記ゲート電極及び前記第１の容量と第２の容量との接続を制御する第２トランジスタと、前記第２容量とデータ線との接続を制御する第３トランジスタとを用いる画素回路の制御方法であり、
前記第２トランジスタをオフにした後、前記発光素子に前記第１の容量が保持する電圧に応じた電流量を供給する間に、前記第３トランジスタをオンにし、
前記第３トランジスタをオフにした後、前記第２トランジスタをオンにする
ことを特徴とする画素回路の制御方法。
【請求項２】
前記第３トランジスタをオフにした後と、前記第２トランジスタをオンにする前と、の間において、前記第１の容量が保持する電圧について前記第１トランジスタのしきい値による補償を行った後に、前記第２トランジスタをオンにすることを特徴とする請求項１に記載の、画素回路の制御方法。
【請求項３】
前記第３トランジスタをオフにした後、前記発光素子を前記第１トランジスタと電気的に非接続とすることを特徴とする請求項１または２に記載の、画素回路の制御方法。
【請求項４】
発光素子に供給される電流量をゲート電極に接続された第１の容量が保持する電圧に応じて制御する第１トランジスタと、
前記ゲート電極及び前記第１の容量と第２の容量との接続を制御する第２トランジスタと、
前記第２容量とデータ線との接続を制御する第３トランジスタとを有し、
前記第２トランジスタをオフにした後、前記発光素子に前記第１の容量が保持する電圧に応じた電流量を供給する間に、前記第３トランジスタをオンにし、前記第３トランジスタをオフにした後、前記第２トランジスタをオンにする制御回路と
を備える画像表示装置。
【請求項５】
前記制御回路は、さらに、前記第１の容量が保持する電圧について前記第１トランジスタのしきい値による補償を行った後に、前記第３トランジスタをオフにした後、前記第２トランジスタをオンにすることを特徴とする、請求項４に記載の画像表示装置。
【発明の詳細な説明】
【技術分野】
【０００１】
本発明は、映像表示装置及び画素回路の制御方法などに関する。
【背景技術】
【０００２】
映像表示装置として、液晶を用いた映像表示装置が用いられ、近年においては有機発光素子を用いる映像表示装置が用いられている。有機発光素子を用いる映像表示装置においては、液晶を用いる映像表示装置よりも画像の切り替え時間が短く、また、発光輝度を高くできるので、鮮明な映像の表示が可能となる。
【０００３】
一般に、有機発光素子を用いる映像表示装置においては、画素それぞれにトランジスタが発光の駆動に用いられている。このため、発光の駆動に用いるトランジスタのしきい値が異なると、表示される映像に明るさのむらが生じることとなる。そこで、発光の駆動に用いるトランジスタのしきい値電圧を補償する技術が知られている（例えば、特許文献１参照。）。
【先行技術文献】
【特許文献】
【０００４】
【特許文献１】特許第５０６５３５１号公報
【発明の概要】
【発明が解決しようとする課題】
【０００５】
特許文献１に開示された技術においては、発光の駆動に用いるトランジスタのしきい値電圧の補償とデータ線に供給されたデータを画素回路にプログラムする処理とを同時に行わなければならない。このため、しきい値電圧を補償する時間が十分確保できず、輝度むらが発生する場合がある。また、特許文献１に開示された技術を用いて３次元表示を行う場合には、左右の目のクロストーク現象を防ぐために、発光時間を短くせざるを得ず、画像が暗くなる場合がある。画像が暗くなるのを避けるためには、発光輝度を大きくする必要があり、発光素子の寿命を長くすることができない場合がある。
【０００６】
そこで、本発明は、その目的の一つとして、しきい値電圧を補償する時間を確保することが可能となる映像表示装置及び画素回路の制御方法などを提供することとする。
【課題を解決するための手段】
【０００７】
本発明の一実施形態として、発光素子に供給される電流量をゲート電極に接続された第１の容量が保持する電圧に応じて制御する第１トランジスタと、前記ゲート電極及び前記第１の容量と第２の容量との接続を制御する第２トランジスタと、前記第２容量とデータ線との接続を制御する第３トランジスタとを用いる画素回路の制御方法であり、前記第２トランジスタをオフにした後、前記発光素子に前記第１の容量が保持する電圧に応じた電流量を供給する間に、前記第３トランジスタをオンにし、前記第３トランジスタをオフにした後、前記第２トランジスタをオンにすることを特徴とする画素回路の制御方法を提供する。
【０００８】
本発明の一実施形態として、発光素子に供給される電流量をゲート電極に接続された第１の容量が保持する電圧に応じて制御する第１トランジスタと、前記ゲート電極及び前記第１の容量と第２の容量との接続を制御する第２トランジスタと、前記第２容量とデータ線との接続を制御する第３トランジスタとを有し、前記第２トランジスタをオフにした後、前記発光素子に前記第１の容量が保持する電圧に応じた電流量を供給する間に、前記第３トランジスタをオンにし、前記第３トランジスタをオフにした後、前記第２トランジスタをオンにする制御回路とを備える画像表示装置を提供する。
【発明の効果】
【０００９】
本発明によれば、しきい値電圧を補償する時間を確保することが可能となる映像表示装置及び画素回路の制御方法などを提供することができる。
【図面の簡単な説明】
【００１０】
【図１】本発明の一実施形態に係る映像表示装置の機能ブロック図
【図２】本発明の一実施形態に係る画素回路の構成図
【図３Ａ】本発明の一実施形態に係る画素回路に供給される制御信号線のタイミングチャート
【図３Ｂ】（ａ）本発明の一実施形態に係る映像表示装置が２次元表示を行う場合のタイミングチャート、（ｂ）発明の一実施形態に係る映像表示装置が３次元表示を行う場合のタイミングチャート
【図４】本発明の一実施形態に係る画素回路のしきい値補償期間における状況を示す図
【図５】本発明の一実施形態に係る画素回路の転送期間における状況を示す図
【図６】本発明の一実施形態に係る画素回路の発光期間における状況を示す図
【図７】本発明の一実施形態に係る画素回路の構成図
【図８】本発明の一実施形態に係る画素回路に供給される制御信号線のタイミングチャート
【図９】本発明の一実施形態に係る画素回路の構成図
【発明を実施するための形態】
【００１１】
以下、本発明を実施するための形態について、複数の実施形態として説明を行う。なお、本発明は、これらの実施形態に限定されることはない。本発明は、これらの実施形態に種々の変形を加えて実施することが可能である。
【００１２】
（実施形態１）
図１は、本発明に係る映像表示装置の機能ブロック図である。図１に示すように、映像表示装置１００は、複数のデータ線Ｄ１、Ｄ２、…、Ｄｍにデータ信号を供給するデータ駆動部１０１と、複数の走査線をそれぞれ含む複数組の制御信号線Ｃ１、Ｃ２、…、Ｃｎに制御信号を供給する走査線制御線駆動部１０２とを備える。また、複数のデータ線Ｄ１、Ｄ２、…、Ｄｍ及び複数組の制御信号線Ｃ１、Ｃ２、…、Ｃｎの交点に対応して画素１０４を備える。したがって、画素１０４は、一本のデータ線と一組の制御信号線とのそれぞれに対してライン状に配置される。また、画素１０４は、複数のデータ線Ｄ１、Ｄ２、…、Ｄｍ及び複数組の制御信号線Ｃ１、Ｃ２、…、Ｃｎの交点を含む領域１０３内において、マトリクス状に配置される。
【００１３】
画素１０４には、データ線Ｄ１、Ｄ２、…、Ｄｍのうちデータ信号を画素１０４に供給するデータ線により輝度情報が、供給される。また、データ信号を供給するデータ線により指定される輝度情報がプログラム（書き込み）されるタイミング、また、指定された輝度情報に従って発光するタイミングは、複数組の制御信号線Ｃ１、Ｃ２、…、Ｃｎのうち画素１０４に制御信号を供給する一組の制御信号線によって制御される。本実施形態においては、以下に説明されるように、画素１０４が発光している間にプログラムを行うことが可能であり、発光期間を長くすることができる点が特徴の一つである。
【００１４】
図２は、画素１０４の本実施形態に係る画素回路の構成を示す。制御信号線のうち、第１の電圧（ＥＬＶＤＤ）が供給される信号線が、トランジスタＴＲ５を介してトランジスタＴＲ１に接続されている。すなわち、ＥＬＶＤＤがトランジスタＴＲ５の第１電極に供給され、トランジスタＴＲ５の第２電極とトランジスタＴＲ１の第１電極とが接続される。
【００１５】
トランジスタＴＲ１のゲート電極と第２電極との間には、容量ＣＢ（第１の容量）が接続されている。これにより、容量ＣＢの保持する電圧がトランジスタＴＲ１のゲート電極と第２電極との間に供給される。したがって、制御信号線のうちのＥＭ１が高い電圧（Ｈ）となりトランジスタＴＲ５がオンとなり（ターンオンし）、トランジスタＴＲ１の第１電極にＥＬＶＤＤが供給されると、容量ＣＢの保持する電圧に応じて、トランジスタＴＲ１の第１電極から第２電極を流れる電流量が調整可能となる。なお、トランジスタＴＲ５がオフ（ターンオフ）する電圧を「Ｌ」により表わす。他のトランジスタのゲート電極に供給される電圧についても同様に「Ｈ」、「Ｌ」を用いた表記を行う。
【００１６】
したがって、制御信号線のうちのＥＭ２の電圧がＬからＨとなることにより、トランジスタＴＲ６がオンとなると、発光素子ＬＥとトランジスタＴＲ１の第２電極とが電気的に非接続の状態から接続された状態となる。これにより、発光素子ＬＥに流れる電流量が容量ＣＢの保持する電圧に応じて制御される。ここに、トランジスタＴＲ６の第１電極は、トランジスタＴＲ１の第２電極に接続され、トランジスタＴＲ６の第２電極は発光素子ＬＥの第１電極に接続され、発光素子ＬＥの第２電極は第２の電圧（ＥＬＶＳＳ）に接続される。また、発光素子ＬＥは、有機発光ダイオードとすることができ、この場合、発光素子ＬＥの第１電極はアノードとなり、発光素子ＬＥの第２電極はカソードとなる。
【００１７】
また、容量ＣＡ（第２の容量）の第１電極がＥＬＶＤＤに接続され、第２電極は、トランジスタＴＲ２の第１電極とトランジスタＴＲ３の第２電極とに接続されている。
【００１８】
トランジスタＴＲ２の第２電極はトランジスタＴＲ１のゲート電極と容量ＣＢの第１電極とに接続されている。また、トランジスタＴＲ２のゲート電極は制御信号線のうちＧＣ２に接続されている。このため、ＧＣ２の電圧をＨとしてトランジスタＴＲ２をオンとすることにより、容量ＣＡの保持する電圧の表わす情報を容量ＣＢに転送し、その情報が表わす電圧を容量ＣＢに保持させることが可能となる。
【００１９】
また、トランジスタＴＲ３の第１電極はデータ線Ｄａｔａに接続され、トランジスタＴＲ３の第２電極は上述のように容量ＣＡの第２電極に接続されている。このため、トランジスタＴＲ３のゲート電極が接続されている制御信号線のうち走査線信号Ｓｃａｎ（ｎ）の電圧をＨとし、トランジスタＴＲ３をオンとすることにより、データ線Ｄａｔａに供給された信号の電圧を容量ＣＡに供給することができる。すなわち、容量ＣＡにデータ線に供給される信号の電圧により表わされる情報がプログラムされる。なお、Ｓｃａｎ（ｎ）のｎは、同じデータ線に接続されている画素がｎ個あることを示し、走査線信号はＳｃａｎ（１）からＳｃａｎ（ｎ）まで存在することを示す。
【００２０】
なお、トランジスタＴＲ３がオンとなっているときは、トランジスタＴＲ２がオフとなるようにＳｃａｎ（ｎ）の電圧とＧＣ２の電圧とを制御することにより、データ線Ｄａｔａから供給される電圧を容量ＣＡに供給している間は、容量ＣＡと容量ＣＢとは電気的に接続されなくなる。したがって、この間に、容量ＣＢの保持する電圧により、トランジスタＴＲ１の第１電極と第２電極との間に流れる電流量を制御できる。トランジスタＴＲ１の第１電極と第２電極との間に流れる電流量を制御している間に、トランジスタＴＲ５とＴＲ６とをオンとするように制御信号線のうちのＥＭ１とＥＭ２とを制御することにより、発光素子ＬＥの発光量を制御できる。したがって、データ線Ｄａｔａから供給される電圧を容量ＣＡに供給することと、発光素子ＬＥの発光とを同時に行うことが可能である。
【００２１】
さらに、トランジスタＴＲ３がオフとなっているときに、トランジスタＴＲ２がオンとなるようにＳｃａｎ（ｎ）の電圧とＧＣ２の電圧とを制御することにより、容量ＣＡが保持する電圧の示す情報を容量ＣＢに転送し、その情報の表わす電圧を容量ＣＢに保持させることが可能となる。
【００２２】
また、トランジスタＴＲ３がオフとなっているときに、トランジスタＴＲ２もオフとなるようにＳｃａｎ（ｎ）の電圧とＧＣ２の電圧とを制御することにより、トランジスタＴＲ１のしきい値補償を行うこともできる。図２を参照すると、トランジスタＴＲ４のゲート電極は制御信号線のうちのＧＣ１に接続され、その第１電極は制御信号線のうちのＶｉｎｉｔに接続され、その第２電極は、トランジスタＴＲ２の第２電極と容量ＣＢの第１電極とトランジスタＴＲ１のゲート電極に接続されている。また、トランジスタＴＲ５のゲート電極は、制御信号線のうちのＥＭ１に接続され、トランジスタＴＲ５の第１電極とトランジスタＴＲ１の第１電極との間に容量Ｃ（第３の容量）が接続されている。
【００２３】
したがって、トランジスタＴＲ３がオフとなっているときに、トランジスタＴＲ２もオフとなるようにＳｃａｎ（ｎ）の電圧とＧＣ２の電圧とを制御し、さらにトランジスタＴＲ４とトランジスタＴＲ５とをオンとするようにＧＣ１とＥＭ１とを制御することにより、容量ＣＢの第１電極の電圧をＶｉｎｉｔとし、第２電極をＶｉｎｉｔよりトランジスタＴＲ１のしきい値電圧Ｖｔｈ低い電圧とすることができ、しきい値補償が可能となる。言い換えると、容量ＣＢにトランジスタＴＲ１のしきい値電圧を保持させることが可能となる。
【００２４】
図３Ａは、本実施形態に係る画素回路に供給される制御信号線のタイミングチャートを示す。図３Ａに示されるように、本実施形態に係る画素回路に供給される制御信号線のタイミングチャートは、非発光期間と発光期間とに分かれる。非発光期間は、さらに、しきい値補償期間（ＣＯＭＰ）と転送期間（ＤＡＴＡ_ＴＲＡＮ）とに分かれる。発光期間は、同一のデータ線に接続されている画素回路の第２の容量へのプログラム期間に分かれているが、本実施形態に係る映像表示装置の全発光素子をそれぞれの発光期間の全期間において発光させることが可能である。
【００２５】
非発光期間においては、ＥＭ２及びＳｃａｎ（ｎ）の電圧をＬとし、トランジスタＴＲ６とトランジスタＴＲ３とをオフとする。これにより、発光素子ＬＥの発光が停止され、また、容量ＣＡがＤａｔａ線から切り離される。
【００２６】
しきい値補償期間においては、ＧＣ１の電圧をＨとし、トランジスタＴＲ４をオンとする。これにより、トランジスタＴＲ２の第２電極と容量ＣＢの第１電極とトランジスタＴＲ１のゲート電極とにＶｉｎｉｔを供給する。また、ＧＣ２の電圧をＬとしてトランジスタＴＲ２をオフとして、容量ＣＡと容量ＣＢとを電気的に非接続とする。また、ＥＭ１の電圧をＨとしてトランジスタＴＲ５をオンとする。これにより、しきい値補償が可能となる。
【００２７】
図４は、このしきい値補償期間において、トランジスタＴＲ２、ＴＲ３及びＴＲ６がオフとなり、トランジスタＴＲ４及びＴＲ５がオンとなり、発光素子ＬＥの発光が停止され、容量ＣＢの第１電極の電圧をＶｉｎｉｔとし、第２電極をＶｉｎｉｔよりトランジスタＴＲ１のしきい値電圧Ｖｔｈ低い電圧となっている状況を示す。
【００２８】
転送期間においては、ＧＣ１の電圧をＬとし、ＴＲ４をオフとする。これにより、トランジスタＴＲ２の第２電極と容量ＣＢの第１電極とトランジスタＴＲ１のゲート電極とへのＶｉｎｉｔの供給が停止する。また、ＧＣ２の電圧をＨとし、ＥＭ１の電圧をＬとする。これにより、容量ＣＡが保持する電圧の示す情報が示す電圧を容量ＣＢに保持させることにより、容量ＣＡにプログラムされたデータが容量ＣＢに転送される。
【００２９】
図５は、この転送期間において、トランジスタＴＲ３、ＴＲ４、ＴＲ５及びＴＲ６がオフとなり、トランジスタＴＲ２がオンとなり、発光素子ＬＥの発光が停止され、容量ＣＡにプログラムされたデータが容量ＣＢに転送されている状況を示す。
【００３０】
図５において、容量ＣＢの保持する電圧Ｖｇｓは、α・Ｄａｔａ−α・Ｖｉｎｉｔ＋Ｖｔｈと表わすことができる。ここにＤａｔａは、容量ＣＡにプログラムがされたときのデータ線の電圧である。また、αは容量ＣＡ、ＣＢ及びＣの静電容量をそれぞれＣＡ、ＣＢ及びＣと表わすと、ＣＡ・Ｃ／（ＣＡ・ＣＢ＋ＣＢ・Ｃ＋Ｃ・ＣＡ）となる。したがって、Ｖｇｓをデータ線の電圧に応じた値とすることができ、データ線の電圧に応じた輝度で発光素子ＬＥを発光させることが可能となる。また、Ｖｇｓを表わす式にＶｔｈが含まれるので、しきい値補償も行われることが理解される。
【００３１】
発光期間においては、ＧＣ１及びＧＣ２の電圧をＬとし、トランジスタＴＲ２及びＴＲ４をオフとし、ＥＭ１及びＥＭ２の電圧をＨとし、トランジスタＴＲ５及びＴＲ６をオンとする。これにより、発光素子ＬＥには、容量ＣＢの保持する電圧に応じた電流が流れることになる。また、画素の位置に応じて、Ｓｃａｎ（ｎ）をＨとすることにより、言い換えると、ｎ本ある走査線の電圧をＨとすることにより、トランジスタＴＲ３がオンとなり、容量ＣＡがデータ線に接続され、容量ＣＡへのプログラムが行われる。
【００３２】
図６は、この発光期間において、トランジスタＴＲ２及びＴＲ４がオフとなり、トランジスタＴＲ５及びＴＲ６をオンとなり、発光素子ＬＥの発光が行われ、Ｓｃａｎ（ｎ）の電圧がＨとなるタイミングで容量ＣＡへのプログラムが行われる状況を示す。
【００３３】
なお、本実施形態においては、トランジスタＴＲ４の第１電極には、Ｖｉｎｉｔが制御信号線から供給されるとしたが、Ｄａｔａ線からＶｉｎｉｔが供給されるように変形することも可能である。また、トランジスタＴＲ４の第１電極には、Ｖｉｎｉｔの代わりにＥＬＶＤＤを供給するように変形することも可能である。
【００３４】
また、しきい値補償期間において全ての画素回路についてＧＣ１及びＥＭ１の電圧をＨにすると、電源電圧が変動する可能性があるので、いくつかのブロックに画素回路を分けてしきい値補償を異なるタイミングで行うようにしてもよい。
【００３５】
図３Ｂ（ａ）は、本実施形態に係る映像表示装置が複数のフレームの表示を行う場合のタイミングチャートを示す。第Ｎ−１フレームを表示する発光期間の前に「Ｖｔｈ補償」として示されるしきい値補償期間が存在し、その次に「Ｄａｔａ転送」として示される転送期間が続く。また、第Ｎ−１フレームを表示する発光期間に、第Ｎフレームを表示するためのプログラムが並行して行われる。
【００３６】
同様に、第Ｎフレームを表示する発光期間の「Ｖｔｈ補償」として示されるしきい値補償期間が存在し、その次に「Ｄａｔａ転送」として示される転送期間が続く。なお、「Ｄａｔａ転送」として示される転送期間においては、第Ｎ−１フレームを表示する発光期間にプログラムされたデータが転送される。
【００３７】
したがって、「Ｖｔｈ補償」として示されるしきい値補償期間及び「Ｄａｔａ転送」として示される転送期間を除く期間に発光を行うために「ＥＭ２（発光制御ＴＲ）」で示されるように、ＴＲ６をしきい値補償期間及び「Ｄａｔａ転送」として示される転送期間を除く期間にオフとし、発光期間にオンとする。
【００３８】
図３（ｂ）は、本実施形態に係る映像表示装置が左目用の映像として第Ｎ−１フレームを表示し、右眼用の映像として第Ｎフレームを表示し、３次元表示を行う場合のタイミングチャートを示す。図３（ｂ）は、図３（ａ）に加えて、「シャッター」の右に「Ｌ」として左眼用のシャッターの透過率を示すとともに「Ｒ」として左眼用のシャッターの透過率を示す。ここに示すように、「Ｖｔｈ補償」として示されるしきい値補償期間及び「Ｄａｔａ転送」として示される転送期間に透過率が変化することになる。図３（ｂ）に示すように、本実施形態においては、発光期間にプログラムを並行して行うことができるので、発光期間を長くすることができ、発光輝度を減少させることができる。これにより、発光素子の寿命を長くすることができる。
【００３９】
以上のように、本実施形態においては、発光素子を発光させている間に、データ線に供給される信号の表わす情報を各画素にプログラムを行うことができる。また、しきい値補償も行うことができる。
【００４０】
（実施形態２）
図７は、本実施形態に係る画素回路の構成を示す。すなわち、図７は、図１に機能ブロック図を示す映像表示装置について、本実施形態に係る画素１０４の本実施形態に係る画素回路の構成を示す。制御信号線のうち、第１の電圧（ＥＬＶＤＤ）が供給される信号線が、トランジスタＴＲ５を介してトランジスタＴＲ１に接続されている。すなわち、ＥＬＶＤＤがトランジスタＴＲ５の第１電極に供給され、トランジスタＴＲ５の第２電極とトランジスタＴＲ１の第１電極とが接続される。
【００４１】
トランジスタＴＲ１のゲート電極と第２電極との間には、容量ＣＢ（第１の容量）が接続されている。これにより、容量ＣＢの保持する電圧がトランジスタＴＲ１のゲート電極と第２電極との間に供給される。したがって、制御信号線のうちのＥＭ１が高い電圧（Ｈ）となりトランジスタＴＲ５がオンとなり（ターンオンし）、トランジスタＴＲ１の第１電極にＥＬＶＤＤが供給されると、容量ＣＢの保持する電圧に応じて、トランジスタＴＲ１の第１電極から第２電極を流れる電流量が調整可能となる。
【００４２】
したがって、制御信号線のうちのＥＭ２の電圧がＨとなることにより、トランジスタＴＲ６がオンとなると、発光素子ＬＥに流れる電流が容量ＣＢの保持する電圧に応じて制御される。ここに、トランジスタＴＲ６の第１電極は、トランジスタＴＲ１の第２電極に接続され、トランジスタＴＲ６の第２電極は発光素子ＬＥの第１電極に接続され、発光素子ＬＥの第２電極は第２の電圧（ＥＬＶＳＳ）に接続される。また、発光素子ＬＥは、有機発光ダイオードとすることができ、この場合、発光素子ＬＥの第１電極はアノードとなり、発光素子ＬＥの第２電極はカソードとなる。
【００４３】
また、容量ＣＡ（第２の容量）の第１電極がＥＬＶＤＤに接続され、第２電極は、トランジスタＴＲ２の第１電極とトランジスタＴＲ３の第２電極とに接続されている。
【００４４】
トランジスタＴＲ２の電極はトランジスタＴＲ１のゲート電極と容量ＣＢの第１電極とに接続されている。また、トランジスタＴＲ２のゲート電極は制御信号線のうちＧＣ２に接続されている。このため、ＧＣ２の電圧をＨとしてトランジスタＴＲ２をオンとすることにより、容量ＣＡの保持する電圧の表わす情報を容量ＣＢに転送し、その情報が表わす電圧を容量ＣＢに保持させることが可能となる。
【００４５】
また、トランジスタＴＲ３の第１電極はデータ線Ｄａｔａに接続され、トランジスタＴＲ３の第２電極は上述のように容量ＣＡの第２電極に接続されている。このため、トランジスタＴＲ３のゲート電極が接続されている制御信号線のうち走査線信号Ｓｃａｎ（ｎ）の電圧をＨとすることによりトランジスタＴＲ３をオンとすることにより、データ線Ｄａｔａに供給された信号の電圧を容量ＣＡに供給することができる。すなわち、容量ＣＡにデータ線に供給される信号の電圧により表わされる情報がプログラムされる。なお、Ｓｃａｎ（ｎ）のｎは、同じデータ線に接続されている画素がｎ個あることを示し、走査線信号はＳｃａｎ（１）からＳｃａｎ（ｎ）まで存在することを示す。
【００４６】
なお、トランジスタＴＲ３がオンとなっているときは、トランジスタＴＲ２がオフとなるようにＳｃａｎ（ｎ）の電圧とＧＣ２の電圧とを制御することにより、データ線Ｄａｔａに供給される電圧を容量ＣＡに供給している間は、容量ＣＡと容量ＣＢとは電気的に接続されなくなる。したがって、この間に、容量ＣＢの保持する電圧により、トランジスタＴＲ１の第１電極と第２電極との間に流れる電流量を制御できる。トランジスタＴＲ１の第１電極と第２電極との間に流れる電流量を制御している間に、トランジスタＴＲ５とＴＲ６とをオンとするように制御信号線のうちのＥＭ１とＥＭ２とを制御することにより、発光素子ＬＥの発光量を制御できる。したがって、データ線Ｄａｔａに供給される電圧を容量ＣＡに供給することと、発光素子ＬＥの発光量の制御とを同時に行うことが可能である。
【００４７】
さらに、トランジスタＴＲ３がオフとなっているときに、トランジスタＴＲ２がオンとなるようにＳｃａｎ（ｎ）の電圧とＧＣ２の電圧とを制御することにより、容量ＣＡが保持する電圧の示す情報を容量ＣＢに転送し、その情報の表わす電圧を容量ＣＢに保持させることが可能となる。
【００４８】
また、トランジスタＴＲ３がオフとなっているときに、トランジスタＴＲ２もオフとなるようにＳｃａｎ（ｎ）の電圧とＧＣ２の電圧とを制御することにより、トランジスタＴＲ１のしきい値補償を行うこともできる。図７を参照すると、トランジスタＴＲ４のゲート電極は制御信号線のうちのＧＣ１に接続され、その第１電極はトランジスタＴＲ５の第２電極とトランジスタＴＲ１の第１電極とに接続され、その第２電極は、トランジスタＴＲ２の第２電極と容量ＣＢの第１電極とトランジスタＴＲ１のゲート電極に接続されている。また、トランジスタＴＲ５のゲート電極は、制御信号線のうちのＥＭ１に接続されている。また、トランジスタＴＲ７のゲート電極が制御信号線のうちのＧＣ３に接続され、第１電極はＶｉｎｉｔに接続され、第２電極は、トランジスタＴＲ１の第２電極と容量ＣＢの第２電極とトランジスタＴＲ６の第１電極とに接続されている。
【００４９】
したがって、トランジスタＴＲ３がオフとなっているときに、トランジスタＴＲ２もオフとなるようにＳｃａｎ（ｎ）の電圧とＧＣ２の電圧とを制御し、さらにトランジスタＴＲをオフとし、トランジスタＴＲ４及びトランジスタＴＲ７をオンとするようにＧＣ１とＧＣ３とＥＭ１とを制御することにより、容量ＣＢの第１電極の電圧をＶｉｎｉｔよりトランジスタＴＲ１のしきい値電圧Ｖｔｈ分高い電圧とし、容量ＣＢの第２電極の電圧をＶｉｎｉｔとすることができる。
【００５０】
図８は、本実施形態に係る画素回路に供給される制御信号線のタイミングチャートを示す。図８に示されるように、本実施形態に係る画素回路に供給される制御信号線のタイミングチャートは、非発光期間と発光期間とに分かれる。非発光期間は、さらに、初期化期間（ＩＮＩＴ）としきい値補償期間（ＣＯＭＰ）と転送期間（ＤＡＴＡ_ＴＲＡＮ）とに分かれる。発光期間は、同一のデータ線に接続されている画素回路の第２の容量へのプログラム期間に分かれているが、本実施形態に係る映像表示装置の全発光素子をそれぞれの発光期間の全期間において発光させることが可能である。
【００５１】
初期化期間においては、ＧＣ１とＥＭ１との電圧をＨとし、他の制御信号線の電圧をＬとすることにより、トランジスタＴＲ４及びＴＲ５をオンとし他のトランジスタをオフとすることにより、容量ＣＢの第１電極にＥＬＶＤＤを印加し、容量ＣＢの保持する電圧を初期化する。
【００５２】
しきい値補償期間においては、さらにＧＣ３の電圧をＨとしてトランジスタＴＲ７をオンとして、容量ＣＢの第２電極にＶｉｎｉｔを印加する。また、ＥＭ１の電圧をＬとし、トランジスタＴＲ５をオフとする。また、初期化期間において、容量ＣＢの第１電極にＥＬＶＤＤが印加されていたので、トランジスタＴＲ１はオンとなっている。これにより、トランジスタＴＲ１及びＴＲ４を介して容量ＣＢの第１電極とＶｉｎｉｔとが電気的に接続される。これにより、容量ＣＢの第１電極は、その第２電極よりもＶｔｈ分高くなり、しきい値補償が可能となる。
【００５３】
転送期間においては、さらにＧＣ１の電圧をＬとし、ＴＲ４をオフとする。これにより、容量ＣＢの第１電極へのＶｉｎｉｔの供給が停止される。また、ＧＣ２の電圧をＨとし、トランジスタＴＲ２をオンとする。これにより、容量ＣＡが保持する電圧の示す情報を容量ＣＢに保持させることにより、容量ＣＡにプログラムされたデータが容量ＣＢに転送される。
【００５４】
これにより、容量ＣＢの第２電極に対する第１電極の電位差Ｖｇｓは、（ＣＡ・Ｄａｔａ＋ＣＢ・（Ｖｉｎｉｔ＋Ｖｔｈ））／（ＣＡ＋ＣＢ）と表わすことができる。ここにＤａｔａは、容量ＣＡにプログラムがされたときのデータ線の電圧である。また、容量ＣＡ及びＣＢの静電容量をＣＡ及びＣＢとして表わされる。したがって、Ｖｇｓをデータ線の電圧に応じた値とすることができ、データ線の電圧に応じた輝度で発光素子ＬＥを発光させることが可能となる。また、Ｖｇｓを表わす式にＶｔｈが含まれるので、しきい値補償も行われることが理解される。
【００５５】
発光期間においては、ＧＣ１及びＧＣ２の電圧をＬとし、トランジスタＴＲ２及びＴＲ４をオフとし、ＥＭ１及びＥＭ２の電圧をＨとし、トランジスタＴＲ５及びＴＲ６をオンとする。これにより、発光素子ＬＥには、容量ＣＢの保持する電圧に応じた電流が流れることになる。また、画素の位置に応じて、Ｓｃａｎ（ｎ）をＨとすることにより、言い換えると、ｎ本ある走査線の電圧をＨとすることにより、トランジスタＴＲ３がオンとなり、容量ＣＡがデータ線に接続され、容量ＣＡへのプログラムが行われる。
【００５６】
なお、本実施形態においては、トランジスタＴＲ７の第１電極には、Ｖｉｎｉｔが制御信号線から供給されるとしたが、Ｄａｔａ線からＶｉｎｉｔが供給されるように変形することも可能である。
【００５７】
また、初期化期間及びしきい値補償期間において全ての画素回路についてＧＣ１及びＥＭ１ならびにＧＣ１及びＧＣ３の電圧をＨにすると、電源電圧が変動する可能性があるので、いくつかのブロックに画素回路を分けてしきい値補償を異なるタイミングで行うようにしてもよい。
【００５８】
以上のように、本実施形態においては、発光素子を発光させている間に、データ線に供給される信号の表わす情報を各画素にプログラムを行うことができる。また、しきい値補償も行うことができる。
【００５９】
なお、本実施形態の変形例として、図９に示す回路構成を採用することもできる。図７と図９の違いは、図９においては、容量Ｃが制御信号線のうちＥＬＶＤＤと、トランジスタＴＲ７の第２電極、トランジスタＴＲ１の第２電極、容量ＣＢの第２電極及びトランジスタＴＲ６の第１電極との間に配置されていることである。
【００６０】
この場合、転送期間により容量ＣＢの第２電極に対する第１電極の電位差Ｖｇｓは、α・Ｄａｔａ−α・Ｖｉｎｉｔ＋β・Ｖｔｈとなる。ここに、αは、Ｃａ・Ｃｃ／（Ｃａ・Ｃｂ＋Ｃｂ・Ｃｃ＋Ｃｃ・Ｃａ）であり、βは、（Ｃａ・Ｃｂ２＋Ｃｂ・Ｃｃ２＋Ｃｂ２Ｃｃ＋Ｃａ・Ｃｂ・Ｃｃ）／｛（Ｃｂ＋Ｃｃ）・（Ｃａ・Ｃｂ＋Ｃｂ・Ｃｃ＋Ｃｃ・Ｃａ）｝である。
【産業上の利用可能性】
【００６１】
以上のように、本発明の実施形態によれば、発光期間中にプログラムを行うことができるので、発光期間の長さを長くすることができる。特に本発明の実施形態を、右眼と左眼とに異なる映像をシャッター装置により供給し、３次元表示を行う場合に有効である。また、通常の２次元表示の場合には、しきい値補償期間及び転送期間以外を発光期間とすることができる。したがって、例えば発光輝度を下げることができ、長寿命化を達成することができる。さらにしきい値電圧を補償する時間を十分確保できるので輝度むらを改善できる。
【００６２】
また、それぞれの画素についてＤａｔａがプログラムされる容量は同一であるので、同じＤａｔａに対して同じ輝度を得ることができる。また、発光期間においては、第１の容量と第２の容量とが切り離され、直列に接続されないので、容量の大きさを小さくすることができる。また、走査線（Ｓｃａｎ（ｎ））を制御する回路を複雑なものとする必要がない。
【図１】
2014219440.tif 000003
【図２】
2014219440.tif 000004
【図３Ａ】
2014219440.tif 000005
【図３Ｂ】
2014219440.tif 000006
【図７】
2014219440.tif 000007
【図８】
2014219440.tif 000008
【図９】
2014219440.tif 000009
【図４】
2014219440.tif 000010
【図５】
2014219440.tif 000011
【図６】
2014219440.tif 000012